(57)【要約】【課題】タッチパネルを用いて、簡単かつ迅速に、確実なフォルダ操作を行うことができる入力装置を提供する。【解決手段】入力装置１０は、階層構造を有するフォルダのオブジェクトを表示する表示部３２と、表示部３２に対する押圧入力を受け付ける入力部３４と、入力部３４に対する押圧荷重を検出する荷重検出部４０と、表示部３２に表示されたフォルダがオープンしている状態で、入力部３４に対する、所定の荷重基準を満たす押圧荷重が、荷重検出部４０により検出された際に、そのオープンしているフォルダをクローズするように制御する制御部２０と、を備えることを特徴とする。【選択図】  図７
2010176337.tif 000002
【特許請求の範囲】
【請求項１】
階層構造を有するフォルダのオブジェクトを表示する表示部と、
前記表示部に対する押圧入力を受け付ける入力部と、
前記入力部に対する押圧荷重を検出する荷重検出部と、
前記表示部に、前記フォルダがオープンして表示されている状態で、前記入力部に対する、所定の荷重基準を満たす押圧荷重が、前記荷重検出部により検出された際に、当該オープンしているフォルダをクローズするように制御する制御部と、
を備えることを特徴とする入力装置。
【請求項２】
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダのオブジェクトの位置に対応する前記入力部に対する、所定の荷重基準を満たさない状態から満たす状態へ変化する押圧荷重が、前記荷重検出部により検出された際に、当該フォルダをオープンし、該フォルダがオープンされた後は、前記所定の荷重基準を満たす状態から満たさない状態へ変化する押圧荷重が前記荷重検出部により検出された際に、当該オープンされているフォルダをクローズするように制御する制御部と、
を備えることを特徴とする入力装置。
【請求項３】
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダのオブジェクトの位置に対応する前記入力部に対する、第１の荷重基準を満たさない状態から満たす状態へ変化する押圧荷重が、前記荷重検出部により検出された際に、当該フォルダをオープンし、該フォルダがオープンされた後は、前記第１の荷重基準より低い第２の荷重基準を満たす状態から満たさない状態へ変化する押圧荷重が前記荷重検出部により検出された際に、当該オープンされているフォルダのうち最下層のフォルダをクローズするように制御する制御部と、
を備えることを特徴とする入力装置。
【請求項４】
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダのオブジェクトの位置に対応する前記入力部に対する、第１の荷重基準を満たさない状態から満たす状態へ変化する押圧荷重が、前記荷重検出部により検出された際に、当該フォルダをオープンし、該フォルダがオープンされた後は、前記第１の荷重基準より高い第２の荷重基準を満たす状態から満たさない状態へ変化する押圧荷重が前記荷重検出部により検出された際に、当該オープンされているフォルダのうち最下層のフォルダをクローズするように制御する制御部と、
を備えることを特徴とする入力装置。
【請求項５】
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダがオープンしている状態で、前記入力部に対する、第１の荷重基準を満たす状態から当該第１の荷重基準より低い第２の荷重基準を満たさない状態へ変化する押圧荷重が、前記荷重検出部により検出された際に、当該オープンしている全てのフォルダをクローズするように制御する制御部と、
を備えることを特徴とする入力装置。
【発明の詳細な説明】
【技術分野】
【０００１】
本発明は、入力装置に関するものであり、特に、タッチパネルを有する入力装置に関するものである。
【背景技術】
【０００２】
例えば携帯電話のような携帯端末において、ユーザが端末の操作を行う際に使用する入力装置は、各端末の機能や用途に応じて様々なものが開発されている。多くの場合、携帯端末本体の表面に予め配設された機械式のキーまたはボタンなどを、ユーザが指などで直接押下することによって、入力操作を行う構成になっている。
【０００３】
このような端末における入力装置の機械的なキー（例えばテンキー等）は、当該端末の主要な用途に応じて予め配置されているのが普通であり、一般的に、最初に規定されたキーの物理的配置を、後から変更することはできない。
【０００４】
ところで、最近では、携帯電話にデジタルカメラや音楽再生の機能を搭載したものがあるように、小型の携帯端末に多種多様な機能が組み込まれている。携帯電話のように、端末の主要な用途以外に補助的な機能が数多く搭載されているものや、ＰＤＡ（Personal Digital Assistant：携帯情報端末）等のように、１つの端末でスケジュール管理や住所録など、主要な用途を複数有するものもある。このような端末においては、キーの配置が固定されていると、使用する機能によっては、操作入力時に著しく不便さを感じることがある。
【０００５】
このような操作入力の際の不便さを解消するために、表示部を構成する液晶表示画面の前面に透明な入力部を重ねて配設することにより構成したタッチパネルを備える入力装置が開示されている（例えば、特許文献１参照）。このようなタッチパネルを有する入力装置は、一般的に、タッチパネルの表示画面上に、操作キーやボタンなどの画像ならびに入力を促す文字または文字列（以下、「オブジェクト」と記す）を表示する。表示画面上に表示されたオブジェクトをユーザが押圧すると、その位置に対応するタッチパネルの入力部が入力を受け付けるようになっている。
【０００６】
上記特許文献１に記載の折り畳み型携帯電話機は、タッチパネルの表示画面上に任意にオブジェクトの配置を表示させて、ユーザの操作入力を受け付けることができ、自由なキーなどの配置を構成することが可能である。したがって、この携帯電話機は、端末の各機能を切り替える毎に、その機能に応じてオブジェクトの配置を自在に変更することにより、極めて良好な操作性を提供することができる。例えば、携帯電話機に搭載されているデジタルカメラ機能を使用する際は、タッチパネル上にデジタルカメラ用の操作部を構成するオブジェクトを表示して操作入力を受け付けることができる。一方、この携帯電話機を用いて電子メールなどの文字を入力する際は、タッチパネル上にパーソナルコンピュータ（ＰＣ）のようなキーボードを構成するオブジェクトを表示して入力を受け付けることができる。このように、タッチパネルを備えることにより、１つの入力装置を、複数の機能にそれぞれ最適化して操作入力を受け付けることができる。
【０００７】
また、タッチパネルを有する入力装置は、表示部上に表示されたオブジェクトにユーザが指先などで直接触れる（タッチする）入力方式により入力を受け付けるため、ユーザは極めて直感的な操作を行うことができる。すなわち、ユーザは、タッチパネルの画面に表示された案内に従って、画面に表示されたオブジェクトに指先などで直接触れることにより操作を行う。このため、ユーザは、画面に表示された誘導に応じて直感的な操作により非常に容易に端末を動作させることができ、結果的に誤操作を低減させる効果も期待できる。
【０００８】
このように、タッチパネルは、入力部の構成の自由度を高めることができ、かつ、極めて直感的に操作入力を行うことができるというメリットのため、タッチパネルを備える入力装置を有する端末装置はますます増加傾向にある。
【０００９】
上述したようなタッチパネルを有する入力装置は、携帯端末以外においても、例えば銀行などのＡＴＭ（現金自動預入支払機）や、駅などの券売機に配設され、現在日常的に利用されている。さらに、ファーストフード店などの店舗においては、従業員が顧客の注文を処理する際、上述したようなタッチパネルを有する入力装置を備えた端末装置を用いて業務が行われている。入力装置にタッチパネルを用いることにより、タッチパネル以外のキーボードなどの、機械式の操作ボタンまたはキーなどは必須の要素ではなくなる。したがって、端末装置本体に機械式の操作ボタン等を配置する領域が少なくて済むため、端末装置自体を全体的に小型化することができ、様々な店内や駅構内などにおける端末装置の設置場所の自由度を高めることもできる。
【００１０】
また、パーソナルコンピュータ（ＰＣ）の操作入力も、タッチパネルを備えたディスプレイにより行うことができる。一般的に、ＰＣに対する操作入力は、使用するアプリケーションプログラム（以下、単に「アプリケーション」という）により様々である。しかしながら、近年のＧＵＩ（Graphical User Interface）の発達により、アプリケーションの多くは、直感的な操作を行うことができるように工夫されている。また、使用するアプリケーションが異なっていても、ディスプレイに表示されるデスクトップ上で行なわれるファイルやフォルダの操作は、直感的な操作性に対する要求から、共通する操作が多い。したがって、ＰＣの操作入力は、従来、専らキーボードやマウスなどの入力デバイスを用いて行なわれることが多かったが、このような操作入力を、タッチパネルを備えたディスプレイを用いることにより、極めて直感的に行うことができる（例えば、特許文献２参照）。
【００１１】
図１５は、上記特許文献２に記載の情報処理装置を含むデータ転送システムの構成を概略的に示す図である。図１５において、データ転送システム１００は、データ記憶再生装置１１０と、携帯型のデータ記憶再生装置（携帯型記憶再生装置）１２０とで構成されている。データ記憶再生装置１１０は、データ（例えば楽曲データ）の記憶および再生の機能を有し、携帯型記憶再生装置１２０も、楽曲データの記憶および再生の機能を有する。データ記憶再生装置１１０と、携帯型記憶再生装置１２０とは、通信ケーブル１３０を介して通信接続される。
【００１２】
データ記憶再生装置１１０は、ＣＤからリッピングした楽曲データや、楽曲配信サーバ（図示せず）からネットワークＮＴを経てダウンロードした楽曲データを記憶することができる。ユーザは、タッチパネル付表示部１４０上で操作を行うことにより、データ記憶再生装置１１０に記憶された楽曲データを、携帯型記憶再生装置１２０に転送することができる。したがって、携帯型記憶再生装置１２０は、転送された楽曲データを記憶することにより、通信ケーブル１３０との接続を切断した後においても、楽曲データを再生することができる。
【００１３】
図１６は、データ記憶再生装置１１０において、タッチパネル付表示部１４０上でユーザがフォルダの操作を行う様子を概略的に説明する図である。図１６（Ａ）に示すように、タッチパネル付表示部１４０には、アプリケーションを起動するためのアイコンＡ１００およびＡ２００が表示されている。ユーザは、これらのアイコンを指先などで直接触れる（タッチする）ことにより、対応するアプリケーションを起動することができる。この起動の操作は、マウスのような入力デバイスで行うダブルクリックに相当する、タッチパネル付表示部１４０上のアイコンを素早く２回タッチする（ツータッチ）動作で行う設定などが想定される。あるいは、マウスのような入力デバイスで行うシングルクリックに相当する、タッチパネル付表示部１４０上のアイコンを１回タッチする（ワンタッチ）動作で行う設定も想定できる。
【００１４】
また、タッチパネル付表示部１４０には、フォルダＡを表すアイコンＦ１００およびフォルダＢを表すアイコンＦ２００が表示されている。これらのフォルダＡおよびフォルダＢは、従来のディレクトリの階層構造に従って、各フォルダ内に、ファイルおよび／または更なるフォルダを複数含めることができる。また、これらのフォルダＡおよびフォルダＢについての操作を行う際には、従来のＰＣで行われてきたフォルダの操作方法に対応する操作を行うことができる。したがって、図１６（Ａ）に示すように、例えばフォルダＡのアイコンＦ１００をツータッチ（またはワンタッチ）する動作をユーザが行うことにより、図１６（Ｂ）に示すように、フォルダＡに含まれるファイルを表示させることができる。フォルダＡ内に更に別のフォルダが含まれる場合には、そのフォルダをさらにツータッチ（またはワンタッチ）する動作をユーザが行うことにより、そのフォルダに含まれるファイルおよび／または更なるフォルダを表示させることができる。図１６（Ｂ）においては、フォルダウインドウにより、フォルダＡに含まれるファイルを表示している。
【先行技術文献】
【特許文献】
【００１５】
【特許文献１】特開２００６−３１１２２４号公報
【特許文献２】特開２００８−２５０９２４号公報
【発明の概要】
【発明が解決しようとする課題】
【００１６】
一般的に、データ記憶再生装置１１０のタッチパネル付表示部１４０のような入力装置においては、フォルダに含まれるファイルなどを表示しているフォルダウインドウを閉じる操作を行う場合、閉じる動作を行うためのアイコンに触れる操作をしなければならない。例えば、図１６（Ｂ）に示す例では、フォルダウインドウの右上に表示されているバツ印のアイコンをタッチすることにより、このフォルダウインドウを閉じる（以下、フォルダを「クローズする」という）ことができる。また、あるフォルダに含まれるファイルなど表示している場合に、ディレクトリの階層構造において直近上位の階層に移動する（以下、当該フォルダを「クローズする」という）場合にも、例えば「戻る」などのアイコンをタッチしなくてはならない。
【００１７】
フォルダをクローズする場合にタッチしなければならないアイコンの位置は、通常は、フォルダに含まれるファイルなどを表示する（以下、フォルダを「オープンする」という）操作を行うアイコンとは別の位置にある。したがって、フォルダをクローズする際のタッチ動作を行うためには、場合によっては、フォルダをオープンする際にタッチ動作を行った位置とはかなり離れた位置をタッチしなければならないという手間がある。
【００１８】
上記問題に対処するために、例えば、フォルダをクローズする場合にタッチするアイコンを、フォルダをオープンするアイコンの直近に表示すると、今度は、フォルダをオープンしてすぐにクローズしてしまう誤操作を誘発する恐れがある。
【００１９】
大型のタッチパネルを用いてフォルダの操作を行う場合、フォルダのオープンとクローズの操作に係るアイコンを近くに表示しないようにすれば、上述した誤操作は低減されると考えられる。しかしながら、このような操作を行う際には大きな動きを伴う操作をしなければならず、ユーザにとって負担であったり、またはストレスになったりする。一方、携帯端末のように小型のタッチパネルを用いてフォルダの操作を行う場合、タッチパネルの面積の制約の問題から、フォルダのオープンとクローズの操作に係るアイコンは比較的近くに表示せざるを得ない。したがって、この場合、上述した誤操作が発生する恐れが高くなる。
【００２０】
したがって、かかる事情に鑑みてなされた本発明の目的は、タッチパネルを用いて、簡単かつ迅速に、確実なフォルダ操作を行うことができる入力装置を提供することにある。
【課題を解決するための手段】
【００２１】
上記目的を達成する請求項１に係る入力装置の発明は、
階層構造を有するフォルダのオブジェクトを表示する表示部と、
前記表示部に対する押圧入力を受け付ける入力部と、
前記入力部に対する押圧荷重を検出する荷重検出部と、
前記表示部に、前記フォルダがオープンして表示されている状態で、前記入力部に対する、所定の荷重基準を満たす押圧荷重が、前記荷重検出部により検出された際に、当該オープンしているフォルダをクローズするように制御する制御部と、
を備えることを特徴とするものである。
【００２２】
請求項２に係る入力装置の発明は、
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダのオブジェクトの位置に対応する前記入力部に対する、所定の荷重基準を満たさない状態から満たす状態へ変化する押圧荷重が、前記荷重検出部により検出された際に、当該フォルダをオープンし、該フォルダがオープンされた後は、前記所定の荷重基準を満たす状態から満たさない状態へ変化する押圧荷重が前記荷重検出部により検出された際に、当該オープンされているフォルダをクローズするように制御する制御部と、
を備えることを特徴とするものである。
【００２３】
請求項３に係る入力装置の発明は、
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダのオブジェクトの位置に対応する前記入力部に対する、第１の荷重基準を満たさない状態から満たす状態へ変化する押圧荷重が、前記荷重検出部により検出された際に、当該フォルダをオープンし、該フォルダがオープンされた後は、前記第１の荷重基準より低い第２の荷重基準を満たす状態から満たさない状態へ変化する押圧荷重が前記荷重検出部により検出された際に、当該オープンされているフォルダのうち最下層のフォルダをクローズするように制御する制御部と、
を備えることを特徴とするものである。
【００２４】
請求項４に係る入力装置の発明は、
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダのオブジェクトの位置に対応する前記入力部に対する、第１の荷重基準を満たさない状態から満たす状態へ変化する押圧荷重が、前記荷重検出部により検出された際に、当該フォルダをオープンし、該フォルダがオープンされた後は、前記第１の荷重基準より高い第２の荷重基準を満たす状態から満たさない状態へ変化する押圧荷重が前記荷重検出部により検出された際に、当該オープンされているフォルダのうち最下層のフォルダをクローズするように制御する制御部と、
を備えることを特徴とするものである。
【００２５】
また、請求項５に係る入力装置の発明は、
階層構造を有するフォルダのオブジェクトを表示する表示部と、
前記表示部に対する押圧入力を受け付ける入力部と、
前記入力部に対する押圧荷重を検出する荷重検出部と、
前記表示部に表示された前記フォルダがオープンしている状態で、前記入力部に対する、第１の荷重基準を満たす状態から当該第１の荷重基準より低い第２の荷重基準を満たさない状態へ変化する押圧荷重が、前記荷重検出部により検出された際に、当該オープンしている全てのフォルダをクローズするように制御する制御部と、
を備えることを特徴とするものである。
【発明の効果】
【００２６】
本発明の入力装置によれば、フォルダがオープンしている状態で、タッチパネルに対する、所定の荷重基準を満たす押圧荷重が検出されると、このオープンしているフォルダはクローズされる。したがって、本発明の入力装置は、タッチパネルの操作によりフォルダをオープンした場合に、このフォルダをクローズするためのアイコンは設ける必要がない。
【図面の簡単な説明】
【００２７】
【図１】本発明の実施の形態に係る入力装置を備える携帯電話の外観斜視図である。
【図２】本実施の形態に係る携帯電話の内部構成を示す機能ブロック図である。
【図３】図２に示した携帯電話のタッチパネル、荷重検出部、および振動部の実装構造の例を説明する図である。
【図４】第１実施の形態によりフォルダに対してオープンおよびクローズの動作を行う際の様子を説明する概念図である。
【図５】ユーザがタッチパネルの入力部を押圧する際に、荷重検出部が検知する押圧荷重の時間変化の例を概略的に表すグラフである。
【図６】第２実施の形態に係るフォルダのオープンおよびクローズの処理を説明するフローチャートである。
【図７】第２実施の形態の処理に基づく動作の具体例を説明する図である。
【図８】第３実施の形態に係るフォルダのオープンおよびクローズの処理を説明するフローチャートである。
【図９】第３実施の形態に係るフォルダのオープン処理を繰り返した処理に基づく動作の具体例を説明する図である。
【図１０】第３実施の形態に係るフォルダのクローズ処理を繰り返した処理に基づく動作の具体例を説明する図である。
【図１１】第４実施の形態に係るフォルダのオープン処理を繰り返した処理に基づく動作の具体例を説明する図である。
【図１２】第４実施の形態に係るフォルダのクローズ処理を繰り返した処理に基づく動作の具体例を説明する図である。
【図１３】第５実施の形態に係るフォルダのクローズ処理を説明するフローチャートである。
【図１４】第５実施の形態の処理に基づく動作の具体例を説明する図である。
【図１５】従来技術による情報処理装置を含むデータ転送システムの構成を概略的に示す図である。
【図１６】従来技術によるデータ記憶再生装置において、タッチパネル付表示部上でユーザがフォルダの操作を行う様子を概略的に説明する図である。
【発明を実施するための形態】
【００２８】
以下、本発明の各実施の形態について、図面を参照して説明する。なお、以下の各実施の形態においては、本発明の入力装置を具える携帯端末の一例として、携帯電話を想定して説明する。しかしながら、本発明の入力装置が適用できる携帯端末は携帯電話に限定されるものではなく、例えばＰＤＡなどタッチパネルを有する任意の携帯端末などに適用できる。また、本発明は、携帯端末に限定されるものでもなく、上述したような銀行のＡＴＭや駅の券売機など、タッチパネルを有する任意の入力端末にも適用できる。
【００２９】
（第１実施の形態）
図１は、本発明の第１実施の形態に係る入力装置を備える携帯電話１０の概略構成を示す外観斜視図である。この携帯電話１０は、端末本体の前面に、一部切り欠いて示すように、液晶ディスプレイ（ＬＣＤ）または有機ＥＬディスプレイなどに種々の情報およびキーやボタンなどの形状を描画してこれらの配列を表示する表示部３２を備えている。また、この表示部３２の前面には、ユーザの指やスタイラスペンなどによる入力を受け付けるマトリクススイッチ等で構成した入力部３４を配設する。本実施の形態では、これら表示部３２と入力部３４とを含めてタッチパネル３０を構成している。携帯電話１０はさらに、マイクなどにより構成される音声入力部７０、スピーカなどにより構成される音声出力部８０、および、少なくとも１つの機械的なキーにより構成されるキー入力部９０も備えている。
【００３０】
他にも、携帯電話１０は、必要な機能に応じて、デジタルカメラ機能部、ワンセグ放送用チューナ、赤外線通信機能部などの近距離無線通信部、および各種インタフェース等を備える場合もあるが、これらの詳細については図示および説明を省略する。
【００３１】
図２は、本実施の形態に係る携帯電話１０の内部構成を概略的に示す機能ブロック図である。図２に示すように、携帯電話１０は、制御部２０と、タッチパネル３０と、荷重検出部４０と、振動部５０と、記憶部６０と、音声入力部７０と、音声出力部８０と、キー入力部９０と、を備えている。制御部２０は、携帯端末１０の各機能ブロックをはじめとして携帯端末１０全体を制御および管理する。タッチパネル３０は、上述したように、ユーザからの入力を受け付ける入力部３４を、表示部３２の前面に重畳させて配設することにより構成する。このような構成により、タッチパネル３０は、ユーザからの操作入力を受け付けると共に、各アプリケーションに応じて入力結果など各種情報の表示を行う。
【００３２】
タッチパネル３０の入力部３４は、ユーザの指先やスタイラス等の接触（押圧）による入力を検知する（受け付ける）ことにより、当該接触による入力が検知された位置に対応する信号を出力する。このタッチパネル３０は、例えば抵抗膜方式や静電容量方式などの公知のものを用いて構成する。表示部３２は、各アプリケーションに対応する表示を行う他、入力部３４へのユーザの操作入力を受け付ける各種キーやボタンなどで構成するユーザインタフェースを所定の表示領域に描画して表示する。また、表示部３２は、後述するフォルダやファイルのアイコンも表示する。以下、このように、タッチパネル３０の入力部３４に対するユーザの操作入力を受け付けるために、表示部３２に表示する各種キーやボタンまたはフォルダやファイルのアイコンなどの画像を、単に「オブジェクト」と記す。
【００３３】
荷重検出部４０は、タッチパネル３０（または入力部３４）に対する押圧荷重を検出するもので、例えば歪みゲージセンサを用いて構成する。振動部５０は、タッチパネル３０を振動させるもので、例えば、圧電素子または超音波振動子などを用いて構成する。なお、荷重検出部４０および振動部５０と、タッチパネル３０との構成上の関係については後述する。
【００３４】
記憶部６０は、各種アプリケーションおよび入力された各種情報などを記憶するとともに、ワークメモリなどとしても機能する。また、記憶部６０は、各アプリケーションに応じて使用される各種のオブジェクトを含んだ複数のテンプレートなども記憶する。
【００３５】
音声入力部７０は、ユーザの音声などを入力信号に変換して制御部２０に伝達する。音声出力部８０は、制御部２０から伝達された音声信号を音声に変換して出力する。キー入力部９０は、ユーザによる操作入力に応じて、対応する信号を制御部１０に送信する。キー入力部９０を構成する各種キーは、使用するアプリケーションに従って、その用途および機能が規定される。
【００３６】
なお、携帯電話１０はさらに、音声通話および電子メールのデータなど各種情報をインターネットや無線通信等を介して基地局と送受信するアンテナおよび無線通信部など、通常の携帯電話としての機能を提供するために必要な各種機能部も備えている。しかしながら、これらは全て公知技術のものと特に変わるところはないため、説明を省略する。
【００３７】
次に、上述した荷重検出部４０および振動部５０と、タッチパネル３０との構成上の関係について説明する。
【００３８】
図３は、図２に示した携帯電話１０のタッチパネル３０、荷重検出部４０、および振動部５０の実装構造の一例を示す図である。図３（Ａ）は要部断面図であり、図３（Ｂ）は要部平面図である。
【００３９】
タッチパネル３０に各種のオブジェクトを表示する表示部３２は、筐体１２内に収納保持する。表示部３２上には、弾性部材からなるインシュレータ３６を介して、入力部３４を保持する。なお、本実施の形態に係る入力装置は、表示部３２および入力部３４を平面視で矩形状とする。図３においては、タッチパネル３０は、正方形状として示してあるが、タッチパネル３０を実装する携帯端末の仕様に応じて、長方形としてもよい。また、この入力装置は、入力部３４を、図３（Ｂ）に仮想線で示す表示部３２の表示領域Ａから外れた４隅に配設したインシュレータ３６を介して、表示部３２に保持する。
【００４０】
また、筐体１２には、表示部３２の表示領域から外れた入力部３４の表面領域を覆うようにアッパカバー１４を設け、このアッパカバー１４と入力部３４との間に、弾性部材からなるインシュレータ１６を配設する。
【００４１】
なお、入力部３４は、例えば、表面すなわち操作入力を受け付ける面が透明フィルムで構成され、裏面がガラスで構成され、操作面が押圧されると、押圧力に応じて表面の透明フィルムが微少量撓む（歪む）構造のものを用いる。
【００４２】
さらに、本実施の形態に係る入力装置は、入力部３４の表面の透明フィルム上で、アッパカバー１４で覆われる各辺の近傍に、入力部３４に加わる押圧荷重（押圧力）を検出するための歪みゲージセンサをそれぞれ接着等により設ける。また、入力部３４の裏面のガラス面上で、対向する２つの辺の近傍には、入力部３４を振動させるための圧電素子または超音波振動子などを、それぞれ接着等により設ける。すなわち、図３に示す入力装置は、図２に示した荷重検出部４０を４つの歪みゲージセンサを用いて構成し、振動部５０を２つの振動子を用いて構成する。振動部５０は、振動を発生させることにより、入力部３４を押圧しているユーザの指もしくはスタイラスペンなどの押圧物に対して振動を伝えることができる。また、振動部５０は、例えば、２つの超音波振動子を同相で駆動する。なお、図３（Ｂ）は、図３（Ａ）に示した筐体１２、アッパカバー１４、およびインシュレータ１６の図示を省略している。
【００４３】
本実施の形態に係る入力装置は、制御部２０において、入力部３４で検知される入力を監視するとともに、荷重検出部４０で検出される押圧荷重を監視する。制御部２０は、荷重検出部４０により検知される押圧荷重が、所定の荷重基準（基準値）を満たすか否かを判断することができる。なお、荷重検出部４０は、例えば、４つの歪みゲージセンサの出力の平均値から荷重を検出する。
【００４４】
ここで、「所定の荷重基準」とは、後述するフォルダのオープンまたはクローズの動作を行うための基準として、荷重検出部４０により検出される押圧荷重の基準を設定したものである。この所定の荷重基準は、携帯電話１０の初期設定またはユーザによる設定変更により設定することができる。また、荷重検出部４０は、押圧荷重の時間的な変化を監視することにより、入力部３４に対する、所定の荷重基準を満たさない状態から満たす状態へ変化する押圧荷重を検出することができる。同様に、荷重検出部４０は、押圧荷重の時間的な変化を監視することにより、入力部３４に対する、所定の荷重基準を満たす状態から満たさない状態へ変化する押圧荷重を検出することもできる。
【００４５】
なお、上述の説明では、荷重基準の値を「押圧荷重のしきい値」に見立て、荷重基準の値に達した場合に「荷重基準を満たす」と判定する態様について説明した。以下も、このような態様により判定する場合について説明するが、「荷重基準を満たす」と判定できる態様はこれに限定されるものではなく、いくつもの態様を含むことが想定できる。例えば、オブジェクトに対するユーザの押圧入力による押圧荷重が上記荷重基準の値を超えた場合に「荷重基準を満たす」と判定することもできる。また、上記荷重基準の値を示す押圧荷重が荷重検出部４０によって検出された場合に「荷重基準を満たす」と判定することもできる。
【００４６】
また、上述の説明において、「荷重基準を満たさない」判定できる態様についても同様である。すなわち、以下の説明においては、荷重基準の値未満になった場合に「荷重基準を満たさない」と判定する場合について説明する。しかしながら、例えば、オブジェクトに対するユーザの押圧入力による押圧荷重が上記荷重基準の値以下になった場合に「荷重基準を満たさない」と判定することもできる。また、上記荷重基準の値を示す押圧荷重が荷重検出部４０によって検出されなくなった場合に「荷重基準を満たさない」と判定することもできる。
【００４７】
次に、本実施の形態による、フォルダのオープンおよびクローズの動作について説明する。図４は、本実施の形態によりフォルダに対してオープンおよびクローズの動作を行う際の様子を説明する概念図である。本実施の形態では、従来のオペレーティングシステム（ＯＳ）などの基本ソフトウェアで広く用いられている、ディレクトリの階層構造の概念に基づくフォルダを使用する。したがって、本実施の形態で用いる各フォルダ内には、ファイルおよび／または更なるフォルダを複数含めることができる。
【００４８】
本実施の形態では、あるフォルダの内容をユーザが知るために、そのフォルダに含まれるファイルおよび／または他のフォルダの内容（オブジェクト）を表示させることを、そのフォルダを「オープンする」と記す。例えば、図４（Ａ）に示すフォルダＡの中に、フォルダＢ、フォルダＣ、ファイルａ、およびファイルｂが含まれる場合、このフォルダＡをオープンすると、図４（Ｂ）に示すように、フォルダＡに含まれる内容が表示される。また、例えば図４（Ｂ）に示すフォルダＢの中に、フォルダＤ、およびファイルｃが含まれる場合、このフォルダＢをオープンすると、図４（Ｃ）に示すように、フォルダＢに含まれる内容が表示される。
【００４９】
さらに、本実施の形態では、あるフォルダをオープンして、そのフォルダの内容が表示されている場合に、その内容を表示しない状態に戻すことを、そのフォルダを「クローズする」と記す。例えば、図４（Ｃ）においては、フォルダＢに含まれる内容（フォルダＤ、およびファイルｃ）が表示されているが、このフォルダＢをクローズすると、図４（Ｂ）に示すような表示になる。また、例えば図４（Ｂ）においては、フォルダＡに含まれる内容（フォルダＢ、フォルダＣ、ファイルａ、およびファイルｂ）が表示されているが、このフォルダＡをクローズすると、図４（Ａ）に示すような表示になる。
【００５０】
次に、本実施の形態による携帯電話１０のタッチパネル３０に対する押圧荷重の検出について説明する。
【００５１】
本実施の形態の携帯電話１０は、タッチパネル３０の表示部３２に、図４に示したような階層構造を有するフォルダのオブジェクトを表示させることができる。この際、タッチパネル３０の入力部３４は、ユーザの指先やスタイラスなどによる、表示部３２に対する押圧入力を受け付ける。このようにして入力部３４に押圧入力がなされると、荷重検出部４０は、入力部３４に対する押圧荷重を検出する。
【００５２】
図５は、入力部３４に対するユーザの指先やスタイラスなどによる押圧荷重を、荷重検出部４０が検出した例を示す図である。図５は、ユーザがタッチパネル３０の入力部３４を押圧する動作により操作入力を行う際の、荷重検出部４０が検出する押圧荷重の時間変化の例を概略的に示している。一般的に、ユーザは、タッチパネル３０の入力部３４を押圧する動作（押圧入力）を行う際、入力部３４に触れてから、入力が受け付けられたと判断できる時点までは、入力部３４に対する押圧力を増大し続ける（つまり入力部３４を押し込む動作を行う）。また、ユーザは、入力が受け付けられたと判断した時点からは、入力部３４に対する押圧力を低減する（つまり入力部３４から指などを離そうとする動作を行う）。したがって、荷重検出部４０が検出する押圧荷重は、図４に示す曲線のように、左から右に時間の経過に従って最初は右上がりに増大し、途中から右下がりに減少する。
【００５３】
ユーザが入力部３４に対して通常の操作入力を行う際は、普段の押圧力に基づいて押圧入力が行われるため、荷重検出部４０は、例えば図５に示すＡ１からＡ２を経るような変化をする押圧荷重を検出する。一方、ユーザが入力部３４に対して通常の操作入力よりも強い押圧力で操作入力を行う際は、意図して普段の押圧力よりも強い押圧力により押圧入力が行われるため、荷重検出部４０は、例えば図５に示すＢ１からＢ２を経るような変化をする押圧荷重を検出する。
【００５４】
このように、本実施の形態では、荷重検出部４０を用いることにより、普段の押圧力による通常の操作入力を想定した荷重基準（例えば図５に示すＰ１）と、普段よりも強い押圧力による操作入力を想定した荷重基準（例えばＰ２）とを、区別して検出できる。さらに、例えば図５に示すＰ１のような荷重基準を設定する場合、この荷重基準を満たさない状態から満たす状態へ変化する押圧入力（図５に示すＡ１）と、この荷重基準を満たす状態から満たさない状態へ変化する押圧入力（図５に示すＡ２）とを区別することもできる。したがって、本実施の形態においては、これら２つの入力を区別して、それぞれに別個の処理を割り当てることができる。
【００５５】
次に、本実施の形態によるフォルダのクローズ処理について説明する。第１実施の形態によるフォルダのクローズ処理は、表示部３２に、フォルダがオープンして表示されている状態で行われる処理である。本実施の形態では、フォルダがオープンしている状態で、荷重検出部４０が、所定の荷重基準を満たす、入力部３４に対する押圧荷重を検出した際、制御部２０は、そのオープンしているフォルダをクローズするように制御する。
【００５６】
通常の操作入力（フォルダをオープンする動作など）を行うための荷重基準として、例えば図５に示すＰ１を設定した場合、普段よりも強い押圧力による操作入力を行うための荷重基準として設定した図５に示すＰ２を、所定の荷重基準とするのが好適である。すなわち、フォルダがオープンしている状態で、荷重検出部４０が、図５に示す荷重基準Ｐ２を満たす、入力部３４に対する押圧荷重を検出した際、制御部２０は、そのオープンしているフォルダをクローズするように制御する。これにより、携帯電話１０のタッチパネル３０を用いてフォルダの操作を行っている最中に、通常の押圧力よりも少し強い力でタッチパネル３０の入力部３４の任意の位置を押圧すれば、表示部３２上のフォルダをクローズすることができる。
【００５７】
例えば、タッチパネル３０の表示部３２上に図４（Ｃ）のような表示がされている場合、通常の押圧力よりも少し強い力で入力部３４の任意の位置を押圧することにより、オープンしているフォルダＢをクローズして、図４（Ｂ）のような表示にすることができる。さらに、表示部３２上に図４（Ｂ）のような表示がされている場合、通常の押圧力よりも少し強い力で入力部３４の任意の位置を押圧することにより、オープンしているフォルダＡをクローズして、図４（Ａ）のような表示にすることができる。
【００５８】
このように、本実施の形態では、フォルダをクローズするためのアイコン（オブジェクト）を別個に設けることなく、簡単かつ他の操作と区別をつけやすい操作により、フォルダをクローズすることができる。したがって、本実施の形態による携帯電話１０は、タッチパネルを用いて、簡単かつ迅速に、確実なフォルダ操作を行うことができる。
【００５９】
（第２実施の形態）
次に、本発明の第２実施の形態によるフォルダのクローズ処理について説明する。
【００６０】
第２実施の形態は、第１実施の形態で説明した携帯電話１０において、その制御部２０により行われるフォルダのクローズ処理を変更するものである。したがって、第１実施の形態と同じ説明は省略する。なお、本実施の形態によるクローズ処理は、あるフォルダをオープンする動作と関連する処理であるため、本実施の形態におけるフォルダのオープン処理とともに、本実施の形態によるクローズ処理について説明する。
【００６１】
図６は、第２実施の形態に係るフォルダのオープンおよびクローズの処理を説明するフローチャートである。本処理は、タッチパネル３０の入力部３４が押圧入力を検知した時点から開始する。なお、本処理の開始時点においても、フォルダのオブジェクトが表示部３２に表示されているものとする。フォルダのオブジェクトの位置に対応する入力部３４に対する押圧入力により、入力部３４に入力が検知されると、制御部２０は、所定の荷重基準を満たさない状態から満たす状態へ変化する押圧荷重を荷重検出部４０が検出したか否かを判定する（ステップＳ２１）。なお、図６のフローチャートにおいては、記載の簡略化のため、「基準を満たさない状態から満たす状態」を単に「基準未満→以上」と記す。また、「基準を満たす状態から満たさない状態」は、単に「基準以上→未満」と記す。
【００６２】
ステップＳ２１において、所定の荷重基準を満たさない状態から満たす状態へ変化する押圧荷重が荷重検出部４０により検出されたら、制御部２０は、そのフォルダをオープンする（ステップＳ２２）。すなわち、制御部２０は、オープンするフォルダの直下の階層に含まれるファイルおよび／または他のフォルダのアイコン（オブジェクト）を表示部３２に表示する。
【００６３】
ステップＳ２２にてフォルダがオープンされた後、制御部２０は、所定の荷重基準を満たす状態から満たさない状態へ変化する押圧荷重を荷重検出部４０が検出したか否かを判定する（ステップＳ２３）。ステップＳ２３において、所定の荷重基準を満たす状態から満たさない状態へ変化する押圧荷重が荷重検出部４０により検出されたら、制御部２０は、そのオープンされているフォルダをクローズするように制御する（ステップＳ２４）。すなわち、制御部２０は、オープンしたフォルダの直下の階層に含まれるファイルおよび／または他のフォルダのアイコンを表示部３２に表示しない状態に戻す。
【００６４】
図７は、上述した第２実施の形態の処理に基づく動作の具体例を説明する図である。図７は、上述した処理を行う際に、荷重検出部４０により検知される、タッチパネル３０の入力部３４に対する押圧荷重の時間的な変化を図の下段に示すとともに、それに伴う表示部３２の表示の変化を図の上段に例示している。なお、図７においては、上述した処理で説明した所定の荷重基準を、「荷重基準Ｐ１」として示してある。
【００６５】
図７（Ａ）に示す状態Ａは、ユーザが、タッチパネル３０の入力部３４に指先などを触れてから、その押圧入力にかかる押圧力を強めている様子を示している。図７（Ａ）においては、入力を検知した入力部３４の位置に対応するフォルダのオブジェクトにはハッチングを付して示してある。このように、入力を検知した入力部３４の位置にフォルダまたはファイルなどのオブジェクトが存在する場合、当該オブジェクトに係る入力が検知されていることをユーザに示すために、オブジェクトに色を付すなどの処理を制御部２０により行うのが好適である。なお、図７（Ａ）においてハッチングを付して示したフォルダに付した矢印は、当該位置にユーザの指先などによる入力が検知されていることを示している。このように入力位置を示すためのオブジェクトは、表示部３２に表示する設定にすることも、または表示しない設定にすることもできる。
【００６６】
ユーザがタッチパネル３０の入力部３４を押圧する押圧荷重が所定の荷重基準Ｐ１を満たさない状態から満たす状態へ変化すると（ステップＳ２１のＹｅｓ）、図７（Ｂ）に示すように、押圧していたフォルダがオープンする（ステップＳ２２）。その後、フォルダがオープンした状態で、ユーザが入力部３４を押圧する押圧荷重が所定の荷重基準Ｐ１を満たす状態から満たさない状態へ変化すると（ステップＳ２３のＹｅｓ）、図７（Ｃ）に示すように、オープンしていたフォルダがクローズする（ステップＳ２４）。フォルダをクローズさせる際の、押圧荷重が所定の荷重基準Ｐ１を満たす状態から満たさない状態へ変化する入力は、オープンしていたフォルダのオブジェクトの位置であってもよいし、また当該フォルダ以外の位置であってもよい。
【００６７】
なお、図７（Ｂ）に示す状態で、オープンしたフォルダに含まれる他のフォルダまたはファイルなどの選択または実行などを行うこともできる。この場合、入力部３４上で、Ｐ１を満たす押圧荷重を維持したままユーザが所望するフォルダまたはファイルのオブジェクトまで入力位置を移動する入力を受け付ける。オープンしたフォルダに含まれる他のフォルダまたはファイルのオブジェクトまで入力位置が移動する入力が検知されたら、その後、当該オブジェクトに対してＰ１よりも高く設定された荷重基準を満たす入力を荷重検出部４０により受け付ける。そのオブジェクトに対してＰ１よりも高い荷重基準を満たす入力が検知されたら、制御部２０は、当該オブジェクトに係るフォルダまたはファイルの選択または実行などを行う。
【００６８】
このように、本実施の形態においても、フォルダをクローズするためのアイコンを別個に設ける必要はない。また、簡単かつ他の操作と区別をつけやすい操作により、フォルダをオープンさせて、このようにオープンさせたフォルダをクローズすることができる。したがって、本実施の形態による携帯電話１０も、タッチパネルを用いて、簡単かつ迅速に、確実なフォルダ操作を行うことができる。
【００６９】
（第３実施の形態）
次に、本発明の第３実施の形態によるフォルダのクローズ処理について説明する。
【００７０】
第３実施の形態も、上述した第２実施の形態と同様に、第１実施の形態で説明した携帯電話１０において、その制御部２０により行われるフォルダのクローズ処理を変更するものである。したがって、第１および第２実施の形態と同じ説明は省略する。また、本実施の形態によるクローズ処理も、あるフォルダをオープンする動作と関連する処理であるため、本実施の形態におけるフォルダのオープン処理とともに、本実施の形態によるクローズ処理について説明する。
【００７１】
本実施の形態では、フォルダのオープンまたはクローズの動作を行うための基準として、第１の荷重基準と、第２の荷重基準とを設定する。なお、本実施の形態では、第２の荷重基準を、第１の荷重基準よりも低い基準に設定する。
【００７２】
図８は、第３実施の形態に係るフォルダのオープンおよびクローズの処理を説明するフローチャートである。本処理は、タッチパネル３０の入力部３４が押圧入力を検知した時点から開始する。なお、本処理の開始時点においても、フォルダのオブジェクトが表示部３２に表示されているものとする。フォルダのオブジェクトの位置に対応する入力部３４に対する押圧入力により、入力部３４に入力が検知されると、制御部２０は、上述した第１の荷重基準を満たさない状態から満たす状態へ変化する押圧荷重を荷重検出部４０が検出したか否かを判定する（ステップＳ３１）。
【００７３】
ステップＳ３１において、第１の荷重基準を満たさない状態から満たす状態へ変化する押圧荷重が荷重検出部４０により検出されたら、制御部２０は、そのフォルダをオープンする（ステップＳ３２）。ステップＳ３２にてフォルダがオープンされた後、制御部２０は、第１の荷重基準よりも低い第２の荷重基準を満たす状態から満たさない状態へ変化する押圧荷重を荷重検出部４０が検出したか否かを判定する（ステップＳ３３）。
【００７４】
ステップＳ３３において、第１の荷重基準よりも低い第２の荷重基準を満たす状態から満たさない状態へ変化する押圧荷重が検出されない場合、ステップＳ３１に戻って処理を続行する。この時、オープンされたフォルダに含まれる他のフォルダが表示部３２に表示されている場合、入力部３４に対する押圧荷重が検知されたままの状態で、当該他のフォルダのオブジェクトまでユーザが入力位置を移動する入力を受け付けることができる。この際に、ステップＳ３１にて、当該他のフォルダのオブジェクトの位置に対応する入力部３４に対して、第１の荷重基準を満たさない状態から満たす状態へ変化する押圧荷重が検出された場合、ステップＳ３２にて、当該他のフォルダをオープンする。本実施の形態においては、このような処理を繰り返すことができるため、ユーザは、あるフォルダの直下の階層に含まれるフォルダを次々にオープンすることができる。
【００７５】
図９は、上述したフォルダのオープン処理を繰り返した処理に基づく動作の具体例を説明する図である。なお、図９においては、上述した処理で説明した第１の荷重基準を、「荷重基準Ｐ２」として示してある。
【００７６】
図９（Ａ）において、ユーザは、タッチパネル３０の入力部３４上で、左上のフォルダを押圧している。このフォルダを押圧したまま、入力部３４を押圧する押圧荷重が所定の荷重基準Ｐ２を満たさない状態から満たす状態へ変化すると（ステップＳ３１のＹｅｓ）、図９（Ｂ）に示すように、押圧していたフォルダがオープンする（ステップＳ３２）。その後、ユーザが入力部３４を押圧したまま、オープンしたフォルダに含まれる他のフォルダの位置まで押圧入力の位置を移動させて、図９（Ｂ）に示す状態になったとする。この状態で、入力部３４を押圧する押圧荷重が所定の荷重基準Ｐ２を満たさない状態から満たす状態へ変化すると（ステップＳ３１のＹｅｓ）、図９（Ｃ）に示すように、押圧していたフォルダがオープンする（ステップＳ３２）。その後も、ユーザは、同様の操作を行うことにより、図９（Ｃ）に示すフォルダを、図９（Ｄ）に示すようにオープンすることができる。
【００７７】
このように、本実施の形態では、ユーザはタッチパネル３０の入力部３４から指を離すことなく、滑らかな操作により、フォルダを連続的にオープンする動作を行うことができる。なお、フォルダではなくファイルのオブジェクトの位置に対応する入力部３４に対して、第１の荷重基準を満たさない状態から満たす状態へ変化する押圧荷重が検出された場合は、当該ファイルを開くためのアプリケーションを起動する処理を行うのが好適である。
【００７８】
一方、ステップＳ３３において、第１の荷重基準よりも低い第２の荷重基準を満たす状態から満たさない状態へ変化する押圧荷重が検出された場合、制御部２０は、表示部３２上でオープンしているフォルダをクローズするように制御する（ステップＳ３４）。この場合、制御部２０は、表示部３２上でオープンしているフォルダのうち、最下層のフォルダをクローズするように制御する。ステップＳ３４の後、制御部２０は、入力部３４により押圧入力が検知されているか否かを判定し、検知されている場合にはステップＳ３１に戻って処理を続行し、検知されなくなった場合は処理を終了する。このように、本実施の形態においては、ユーザは、タッチパネル３０の入力部３４から指を離すことなくフォルダのクローズ処理も繰り返すことができるため、ユーザは、最下層のフォルダをクローズして直近上位のフォルダに戻る動作を連続して行うことができる。
【００７９】
図１０は、上述したフォルダのクローズ処理を繰り返した処理に基づく動作の具体例を説明する図である。なお、図１０においては、上述した処理で説明した第２の荷重基準を、「荷重基準Ｐ１」として示してある。
【００８０】
図１０（Ａ）においては、３つのフォルダがオープンした状態で表示部３２に表示されている。すなわち、最上位から３階層目までのフォルダの内容が表示された状態である。この時、タッチパネル３０の入力部３４を押圧する押圧荷重が所定の荷重基準Ｐ１を満たす状態から満たさない状態へ変化すると（ステップＳ３３のＹｅｓ）、図９（Ｂ）に示すように、最下層（３階層目）のフォルダがクローズする（ステップＳ３４）。その後、再び、入力部３４を押圧する押圧荷重が所定の荷重基準Ｐ１を満たす状態から満たさない状態へ変化すると（ステップＳ３３のＹｅｓ）、図９（Ｃ）に示すように、最下層（２階層目）のフォルダがクローズする（ステップＳ３４）。その後も、ユーザは、同様の操作を行うことにより、図９（Ｃ）に示すフォルダを、図９（Ｄ）に示すようにクローズすることができる。
【００８１】
このように、本実施の形態では、ユーザはタッチパネル３０の入力部３４から指を離すことなく、滑らかな操作により、フォルダを連続的にクローズする動作も行うことができる。なお、本実施の形態でも、フォルダをクローズさせる際、押圧荷重が第２の荷重基準Ｐ１を満たす状態から満たさない状態へ変化する入力は、入力部３４の任意の位置で行うことができる。
【００８２】
本実施の形態では、フォルダオープンの荷重基準よりフォルダクローズの荷重基準を低くしたので、上述した第２実施の形態による効果に加えて、さらに、ユーザが意図せずフォルダをクローズしてしまう誤操作の恐れを著しく低減させる効果が期待できる。
【００８３】
（第４実施の形態）
次に、本発明の第４実施の形態によるフォルダのクローズ処理について説明する。
【００８４】
第４実施の形態は、上述した第３実施の形態において、第１の荷重基準と、第２の荷重基準との上下関係を逆転させたものである。したがって、第３実施の形態と同じ説明は省略する。本実施の形態では、フォルダのオープンまたはクローズの動作を行うための基準として、第１の荷重基準と、第２の荷重基準とを設定する。なお、本実施の形態では、第２の荷重基準を、第１の荷重基準よりも高い基準に設定する。
【００８５】
第４実施の形態に係るフォルダのオープンおよびクローズの処理は、第３実施の形態で説明した図８に示すフローチャートに基づいて行うことができるため、処理の詳細についての説明も省略する。
【００８６】
図１１は、第４実施の形態によるフォルダのオープン処理を繰り返した処理に基づく動作の具体例を説明する図である。なお、図１１においては、本処理による第１の荷重基準を、「荷重基準Ｐ１」として示してある。第４実施の形態では、ユーザは、第３実施の形態で説明したフォルダのオープン処理よりも弱い押圧力により、タッチパネル３０の入力部３４から指を離すことなく、滑らかな操作により、フォルダを連続的にオープンする動作を行うことができる。
【００８７】
図１２は、第４実施の形態によるフォルダのクローズ処理を繰り返した処理に基づく動作の具体例を説明する図である。なお、図１２においては、本処理による第２の荷重基準を、「荷重基準Ｐ２」として示してある。本実施の形態では、ユーザは、第３実施の形態で説明したフォルダのオープン処理よりも強い押圧力により、タッチパネル３０の入力部３４から指を離すことなく、滑らかな操作により、フォルダを連続的にクローズする動作を行うことができる。このように、第４実施の形態でも、ユーザはタッチパネル３０の入力部３４から指を離すことなく、滑らかな操作により、フォルダを連続的にクローズする動作を行うことができる。
【００８８】
このように、本実施の形態では、フォルダオープンの荷重基準よりフォルダクローズの荷重基準を高くしたので、ユーザが意図せずフォルダをクローズしてしまう誤操作の恐れを、上述した第３実施の形態よりも、さらに低減させる効果が期待できる。また、フォルダをオープンする荷重基準よりも、フォルダをクローズする荷重基準を高くすることにより、フォルダをオープンさせた後にタッチパネル３０の入力部３４から指を離しても、そのフォルダがクローズされることはない。ユーザがタッチパネル３０の入力部３４から指を離した後にフォルダをクローズさせたい場合は、フォルダのオブジェクトが無い位置で、フォルダをオープンさせた第１の荷重基準より高い第２の荷重基準を超える押圧荷重をかければよい。
【００８９】
（第５実施の形態）
次に、本発明の第５実施の形態によるフォルダのクローズ処理について説明する。
【００９０】
第５実施の形態によるフォルダのクローズ処理は、上述した各実施の形態において、タッチパネル３０の表示部３２に表示されている、オープンされた全てのフォルダを一斉にクローズする動作を行う処理である。したがって、上述した各実施の形態と同じ説明は省略する。
【００９１】
本実施の形態では、フォルダを一斉にクローズする動作を行うための基準として、第１の荷重基準と、第２の荷重基準とを設定する。なお、本実施の形態による第１の荷重基準は、ユーザが表示部３２に対して通常の操作入力よりも強い押圧力で行う押圧入力の押圧荷重に基づいて設定する。例えば、第１の荷重基準は、上述した各実施の形態で用いた荷重基準のいずれよりも高い荷重基準として設定することができる。
【００９２】
また、本実施の形態による第２の荷重基準は、上述した第１の荷重基準よりも低い荷重基準として設定する。例えば、第２の荷重基準は、上述した各実施の形態で用いた荷重基準のいずれよりも低い荷重基準として設定することができる。具体的には、第２の荷重基準は、例えば押圧荷重がゼロに近い非常に小さな荷重基準とすることができる。この場合、荷重検出部４０が検出する押圧荷重が「第２の荷重基準を満たさない状態」とは、荷重検出部４０により検出される押圧荷重が実質的にゼロである場合を指すものとする。
【００９３】
図１３は、第５実施の形態によるフォルダのクローズ処理を説明するフローチャートである。本処理は、タッチパネル３０の入力部３４が押圧入力を検知した時点から開始する。なお、本処理の開始時点においても、フォルダのオブジェクトが表示部３２に表示されているものとする。
【００９４】
タッチパネル３０の入力部３４に押圧入力が検知されたら、制御部２０は、まず、オープンしているフォルダが表示部３２に表示されているか否かを判定する（ステップＳ５１）。オープンしているフォルダが表示されていない場合には、本実施の形態によるフォルダのクローズ処理は行われないため、処理を終了する。
【００９５】
ステップＳ５１において、オープンしているフォルダが表示されている場合、制御部２０は、上述した第１の荷重基準を満たす状態から第２の荷重基準を満たさない状態へ変化する押圧荷重を荷重検出部４０が検出したか否かを判定する（ステップＳ５２）。ステップＳ５２において、第１の荷重基準を満たす状態から第２の荷重基準を満たさない状態へ変化する押圧荷重を荷重検出部４０が検出した場合、制御部２０は、表示部３２に表示されているオープンしている全てのフォルダをクローズする（ステップＳ５３）。すなわち、制御部２０は、オープンしているフォルダおよび当該フォルダ以下の階層に含まれるファイルおよび／または他のフォルダのアイコン全てを表示部３２に表示しない状態に戻す。
【００９６】
図１４は、上述した第５実施の形態の処理に基づく動作の具体例を説明する図である。なお、図１４においては、上述した処理で説明した第１の荷重基準を、「荷重基準Ｐ４」として示してある。また、第２の荷重基準は、押圧荷重がゼロに近い荷重基準として、「第２の荷重基準を満たさない状態」は、押圧荷重が実質的にゼロになる場合として示してある。
【００９７】
図１４（Ａ）に示す状態Ａは、ユーザが、タッチパネル３０の入力部３４に指先などを触れた状態で、その押圧入力にかかる押圧力を強めている様子を示している。図１４（Ａ）に示す例では、タッチパネル３０の表示部３２には、３つのフォルダがオープンして表示されている。
【００９８】
図１４（Ｂ）に示す状態Ｂは、ユーザがタッチパネル３０の入力部３４を押圧する押圧荷重が所定の荷重基準Ｐ４を満たした状態を示している。この際、図１４（Ｂ）において、タッチパネル３０の表示部３２には変化がないが、所定の荷重基準Ｐ４を満たす押圧荷重が荷重検出部４０により検出された場合、表示部３２にて、その旨をユーザに知らせるようにしてもよい。例えば、これからクローズしようとしている全てのフォルダの色を変化させるなどの通知の態様が考えられる。
【００９９】
図１４（Ｂ）に示す状態Ｂにおいて、第２の荷重基準を満たさない状態（押圧荷重が実質的にゼロになる場合）へ変化すると（ステップＳ５２のＹｅｓ）、図１４（Ｃ）に示すように、オープンしていた全てのフォルダがクローズされる（ステップＳ５３）。
【０１００】
このように、本実施の形態によれば、極めて簡単かつ他の操作と区別をつけやすい操作により、オープンしている全てのフォルダを一斉にクローズすることができる。そのため、フォルダを１つずつクローズするため操作を行う必要はなくなる。したがって、本実施の形態による携帯電話１０も、タッチパネルを用いて、簡単かつ迅速に、確実なフォルダ操作を行うことができる。
【０１０１】
なお、本発明は、上述した実施の形態にのみ限定されるものではなく、幾多の変更または変形が可能である。例えば、上述した実施の形態においては、各荷重基準の値は、予め設定することを想定したが、必要に応じて、ユーザが適宜変更または調整できるようにするのが望ましい。このようにすれば、操作中に、ユーザが押圧荷重の設定について違和感がある場合、後から適宜設定を修正することができる。
【０１０２】
また、上述した各実施の形態では、フォルダなどのオブジェクトに係る入力が検知されていることをユーザに示すため、またはクローズするフォルダを示すために、オブジェクトに色を付してユーザに通知する処理の例を説明した。しかしながら、オブジェクトに係る入力が検知された場合、オブジェクトに色を付す代わりに、または色を付すと共に、振動部５０を振動させて、その旨をユーザに認識させるようにすることもできる。さらに、このような場合、振動の他にも、例えば音声出力部８０から特定の音を発生させてユーザに認識させるようにすることもできる。
【０１０３】
さらに、上記実施の形態で説明した以外にも、例えばステップＳ２０やステップＳ２７でも振動部４０を振動させて、ユーザの入力に対する処理が適切に行われていることを示してもよい。
【符号の説明】
【０１０４】
１０  携帯電話
２０  制御部
３０  タッチパネル
３２  表示部
３４  入力部
４０  荷重検出部
５０  振動部
６０  記憶部
７０  音声入力部
８０  音声出力部
９０  キー入力部
【図１】
2010176337.tif 000003
【図２】
2010176337.tif 000004
【図３】
2010176337.tif 000005
【図４】
2010176337.tif 000006
【図５】
2010176337.tif 000007
【図６】
2010176337.tif 000008
【図７】
2010176337.tif 000009
【図８】
2010176337.tif 000010
【図９】
2010176337.tif 000011
【図１０】
2010176337.tif 000012
【図１１】
2010176337.tif 000013
【図１２】
2010176337.tif 000014
【図１３】
2010176337.tif 000015
【図１４】
2010176337.tif 000016
【図１５】
2010176337.tif 000017
【図１６】
2010176337.tif 000018